(57)【特許請求の範囲】
【請求項１】
互いに端部を介して相互に連結した上部縦枠材及び上部横枠材を備えるとともに、前記上部縦枠材及び前記上部横枠材の双方に対して傾斜する方向に延在する上部傾斜骨材を備え、前記上部縦枠材、前記上部横枠材及び前記上部傾斜骨材の間に面材を支持することによって構成した上部枠構成要素と、
互いに端部を介して相互に連結した下部縦枠材及び下部横枠材を備えるとともに、前記下部縦枠材及び前記下部横枠材の双方に対して傾斜する方向に延在する下部傾斜骨材を備え、前記下部縦枠材、前記下部横枠材及び前記下部傾斜骨材の間に面材を支持することによって構成した下部枠構成要素と、
前記上部枠構成要素及び前記下部枠構成要素の間を連結する連結部材と
を備えたことを特徴とするカーテンウォール用パネルユニット。
【請求項２】
前記上部縦枠材及び前記下部縦枠材がねじれの位置となる状態で前記上部枠構成要素及び前記下部枠構成要素の間を前記連結部材によって連結したことを特徴とする請求項１に記載のカーテンウォール用パネルユニット。
【請求項３】
前記上部傾斜骨材及び前記下部傾斜骨材の延在方向に沿って延在し、前記連結部材の室外に臨む見付け面を覆う外装カバー部材を備えたことを特徴とする請求項１に記載のカーテンウォール用パネルユニット。
【請求項４】
前記上部傾斜骨材及び前記下部傾斜骨材の延在方向に沿って延在し、前記上部傾斜骨材の室内に臨む見付け面から前記下部傾斜骨材の室内に臨む見付け面までの間を覆う内装カバー部材を備えたことを特徴とする請求項１に記載のカーテンウォール用パネルユニット。
【請求項５】
請求項１〜請求項４のいずれか一つに記載のパネルユニットを適用してカーテンウォールを構成したことを特徴とする建築物。
【発明の詳細な説明】
【技術分野】
【０００１】
本発明は、カーテンウォール用パネルユニット及び建築物に関するものである。
【背景技術】
【０００２】
比較的高層となる建築物においては、外装壁としてカーテンウォールを適用したものが一般的である。カーテンウォールは、柱、梁、床等の構造体に複数のパネルユニットを支持させることによって構成されている。個々のパネルユニットは、矩形状を成す面材の四周にそれぞれ枠を装着することによって構成されたもので、例えばファスナーにより、上縁の枠を介して構造体に支持されている。隣設するパネルユニットの相互間には、シール材や止水材によって所望の気密性及び水密性が確保してある。
【０００３】
ここで、昨今の建築物は、直方体のものばかりでなく、曲面や傾斜面を持つもの等、意匠性を重視したものも多く提供されている。こうした建築物に対してカーテンウォールを構成する従来の技術としては、特許文献１や特許文献２に記載のものがある。
【０００４】
特許文献１では、矩形状の枠体にねじり加工を施すことによって面外方向にねじれた形状を有するパネルユニットを構成するようにしている。この特許文献１によれば、個々のパネルユニットが曲面状となるため、曲面状のカーテンウォールを構成することが可能となる。しかしながら、パネルユニットに施すねじり加工には限界がある。このため、構成可能となるカーテンウォールについても、曲率半径が大きなものに制限される。
【０００５】
一方、特許文献２では、構造体に取り付けられたファスナーと、パネルユニットとの間に傾斜ブラケットを介在させるようにしている。傾斜ブラケットは、下方に配置されるパネルユニットに対して上方に配置されるパネルユニットを後傾した姿勢でファスナーに保持させるものである。この特許文献２によれば、上下に隣設するパネルユニットが互いに傾斜して配置されるため、矩形の平板状を成すパネルユニットを適用した場合にも、上下方向に沿って湾曲状のカーテンウォールを構成することが可能となる。また、パネルユニット自体は平板状のままとなるため、上下に隣接するパネルユニットの傾斜角度に制限が加えられることもない。
【先行技術文献】
【特許文献】
【０００６】
【特許文献１】特開２００３−８２７９９号公報
【特許文献２】特開平８−４１６０号公報
【発明の概要】
【発明が解決しようとする課題】
【０００７】
構築される建築物の意匠性を高めるには、斜めに延びる直線を境界として２つの平面が交わるようにカーテンウォールを構成することが好ましい。つまり、斜めに延在する枠によって隣設するようにパネルユニットを分割構成にすれば、カーテンウォールが多面化するため、建築物の意匠性をより向上させることができる。しかしながら、斜めに延在する枠によってパネルユニットを分割構成にした場合には、当然に、カーテンウォールを構成するためのパネルユニットの数が増えるため、その分だけ施工が煩雑となり、工期が長くなるおそれがある。また、それぞれのパネルユニットを構造体に支持するためのファスナーやパネルユニットの相互間に気密性や水密性を確保するための止水材も専用部品となり、取り扱い部品点数が著しく増大する事態となる。特に、斜めに延在する枠を備えたパネルユニットの隅部には、周囲に多数のパネルユニットが集合した状態となる。このため、ファスナーを設ける位置や止水材を引き回す位置を確保すること自体が困難になるおそれもある。
【０００８】
本発明は、上記実情に鑑みて、工期が延長したり、取り扱い部品点数が増大する事態を招来することなく意匠性を高めることのできるカーテンウォール用パネルユニット及び建築物を提供することを目的とする。
【課題を解決するための手段】
【０００９】
上記目的を達成するため、本発明に係るカーテンウォール用パネルユニットは、互いに端部を介して相互に連結した上部縦枠材及び上部横枠材を備えるとともに、前記上部縦枠材及び前記上部横枠材の双方に対して傾斜する方向に延在する上部傾斜骨材を備え、前記上部縦枠材、前記上部横枠材及び前記上部傾斜骨材の間に面材を支持することによって構成した上部枠構成要素と、互いに端部を介して相互に連結した下部縦枠材及び下部横枠材を備えるとともに、前記下部縦枠材及び前記下部横枠材の双方に対して傾斜する方向に延在する下部傾斜骨材を備え、前記下部縦枠材、前記下部横枠材及び前記下部傾斜骨材の間に面材を支持することによって構成した下部枠構成要素と、前記上部枠構成要素及び前記下部枠構成要素の間を連結する連結部材とを備えたことを特徴とする。
【００１０】
この発明によれば、上部縦枠材、上部横枠材、下部縦枠材及び下部横枠材によって矩形状に構成される枠に対して、互いに連結された上部傾斜骨材及び下部傾斜骨材が斜めに延在する一体型のパネルユニットを提供することができる。しかも、個別に構成した上部枠構成要素と下部枠構成要素とを連結部材によって連結した構成であるため、上部枠構成要素と下部枠構成要素との取付角度を任意に変更することができ、互いに異なる平面上に位置させることが可能である。従って、工期が延長したり、取り扱い部品点数が増大する事態を招来することなくカーテンウォールを適用した建築物の意匠性を向上させることができるようになる。
【００１１】
また本発明は、上述したカーテンウォール用パネルユニットにおいて、前記上部縦枠材及び前記下部縦枠材がねじれの位置となる状態で前記上部枠構成要素及び前記下部枠構成要素の間を前記連結部材によって連結したことを特徴とする。
【００１２】
この発明によれば、上部枠構成要素と下部枠構成要素とが互いに異なる平面上に位置したパネルユニットを提供することができる。
【００１３】
また本発明は、上述したカーテンウォール用パネルユニットにおいて、前記上部傾斜骨材及び前記下部傾斜骨材の延在方向に沿って延在し、前記連結部材の室外に臨む見付け面を覆う外装カバー部材を備えたことを特徴とする。
【００１４】
この発明によれば、連結部材の見付け面が外装カバー部材によって覆われた状態となるため、室外側の外観品質を向上させることができる。
【００１５】
また本発明は、上述したカーテンウォール用パネルユニットにおいて、前記上部傾斜骨材及び前記下部傾斜骨材の延在方向に沿って延在し、前記上部傾斜骨材の室内に臨む見付け面から前記下部傾斜骨材の室内に臨む見付け面までの間を覆う内装カバー部材を備えたことを特徴とする。
【００１６】
この発明によれば、上部傾斜骨材と下部傾斜骨材との連結部位が内装カバー部材によって覆われた状態となるため、室内側の外観品質を向上させることができる。
【００１７】
また本発明に係る建築物は、上述したいずれか一つに記載のパネルユニットを適用してカーテンウォールを構成したことを特徴とする。
【００１８】
この発明によれば、上部縦枠材、上部横枠材、下部縦枠材及び下部横枠材によって矩形状に構成される枠に対して、互いに連結された上部傾斜骨材及び下部傾斜骨材が斜めに延在する一体型のパネルユニットを提供することができる。しかも、個別に構成した上部枠構成要素と下部枠構成要素とを連結部材によって連結した構成であるため、上部枠構成要素と下部枠構成要素との取付角度を任意に変更することができ、互いに異なる平面上に位置させることが可能である。従って、工期が延長したり、取り扱い部品点数が増大する事態を招来することなくカーテンウォールを適用した建築物の意匠性を向上させることができるようになる。
【発明の効果】
【００１９】
本発明によれば、上部縦枠材、上部横枠材、下部縦枠材及び下部横枠材によって矩形状に構成される枠に対して、互いに連結された上部傾斜骨材及び下部傾斜骨材が斜めに延在する一体型のパネルユニットを提供することができる。しかも、個別に構成した上部枠構成要素と下部枠構成要素とを連結部材によって連結した構成であるため、上部枠構成要素と下部枠構成要素との取付角度を任意に変更することができ、互いに異なる平面上に位置させることが可能である。従って、工期が延長したり、取り扱い部品点数が増大する事態を招来することなくカーテンウォールを適用した建築物の意匠性を向上させることができるようになる。
【図面の簡単な説明】
【００２０】
【図１】図１は、本発明の実施の形態であるパネルユニットを示したもので、（ａ）は室外側から見た図、（ｂ）は室外側から見た分解図である。
【図２】図２は、図１に示したパネルユニットを適用することによって構成したカーテンウォールの一部を示した建築物の外観図である。
【図３】図３は、図１に示したパネルユニットに適用する連結部材を示したもので、（ａ）は室外側において上部傾斜骨材及び下部傾斜骨材を連結する外方連結部材の端面図、（ｂ）は室内側において上部傾斜骨材及び下部傾斜骨材を連結する内方連結部材の端面図である。
【図４】図４は、図２におけるＸ−Ｘ線拡大断面図である。
【図５】図５は、図２におけるＹ−Ｙ線拡大断面図である。
【図６】図６は、図２におけるＺ−Ｚ線拡大断面図である。
【図７】図７は、図２におけるＥ部の部分拡大図である。
【図８】図８は、図２におけるＥ部の部分断面斜視図である。
【図９】図９は、図１に示したパネルユニットの変形例の要部を示す横断面図である。
【発明を実施するための形態】
【００２１】
以下、添付図面を参照しながら本発明に係るカーテンウォール用パネルユニット及び建築物の好適な実施の形態について詳細に説明する。
【００２２】
図１は、本発明の実施の形態であるカーテンウォール用パネルユニットを示したものである。ここで例示するパネルユニット１は、図２に示すように、従前のパネルユニット１′に混在させた状態で上下左右に複数並設し、それぞれを柱、梁、床等の構造体Ｂに支持させることにより、ビル等の建築物にカーテンウォールを構成するものである。従前のパネルユニット１′は、上枠材２、下枠材３及び左右の縦枠材４を四周枠組みすることによって構成した枠体の内部に面材５を支持させたものである。これに対して本発明の実施の形態となるパネルユニット１は、図１の（ｂ）に示すように、上部枠構成要素１０及び下部枠構成要素２０と、これら２つの枠構成要素１０，２０を連結する外方連結パネル（連結部材）３０及び内方連結パネル（連結部材）４０とを備えている。
【００２３】
上部枠構成要素１０及び下部枠構成要素２０は、それぞれ枠１１，２１の内部に面材１２，２２を支持したもので、互いにほぼ同じ大きさとなるように構成してある。上部枠構成要素１０の枠１１は、上部縦枠材１１１、上部横枠材１１２及び上部傾斜骨材１１３によって三角形状の外形を有するものである。上部縦枠材１１１及び上部横枠材１１２は、互いにほぼ直角に交わるように接合してあり、上部傾斜骨材１１３は、上部縦枠材１１１及び上部横枠材１１２の端部間を連結するように接合してある。上部縦枠材１１１、上部横枠材１１２、上部傾斜骨材１１３は、図４〜図６に示すように、いずれもアルミニウム合金によって成形した中空部を有する押し出し形材であり、全長にわたってほぼ一様な断面形状を有するように構成してある。また、上部縦枠材１１１において上部傾斜骨材１１３よりも突出する部分には、上部連結ブロック（連結部材）１１１ａが設けてある。図には明示していないが、上部連結ブロック１１１ａは、後述の下部枠構成要素２０を構成する下部横枠材２１２の中空部に挿入することのできる寸法に形成してある。また、図には明示していないが、上部縦枠材１１１からの上部連結ブロック１１１ａの突出方向は、枠１１に対して室内側に角度αだけ傾斜するように設定してある。
【００２４】
下部枠構成要素２０の枠２１は、図１に示すように、下部縦枠材２１１、下部横枠材２１２及び下部傾斜骨材２１３によって三角形状の外形を有するものである。下部縦枠材２１１及び下部横枠材２１２は、互いにほぼ直角に交わるように接合してあり、下部傾斜骨材２１３は、下部縦枠材２１１及び下部横枠材２１２の端部間を連結するように接合してある。下部縦枠材２１１、下部横枠材２１２、下部傾斜骨材２１３は、図４〜図６に示すように、いずれもアルミニウム合金によって成形した中空部を有する押し出し形材であり、全長にわたってほぼ一様な断面形状を有するように構成してある。また、下部縦枠材２１１において上部傾斜骨材１１３よりも突出する部分には、下部連結ブロック（連結部材）２１１ａが設けてある。下部連結ブロック２１１ａは、上述した上部横枠材１１２の中空部に挿入することのできる寸法に形成してある。また、図には明示していないが、下部縦枠材２１１からの下部連結ブロック２１１ａの突出方向は、枠２１に対して室内側に角度αだけ傾斜するように設定してある。
【００２５】
上述の構成を有する上部枠構成要素１０及び下部枠構成要素２０においては、図１の（ａ）からも明らかなように、上部縦枠材１１１と下部縦枠材２１１とが互いに平行となり、かつ上部横枠材１１２と下部横枠材２１２とが互いに平行となる姿勢で上部傾斜骨材１１３と下部傾斜骨材２１３とを互いに対向配置した場合、上部縦枠材１１１及び上部横枠材１１２と、下部縦枠材２１１及び下部横枠材２１２とによって長方形が構成されることになる。この状態から、上部枠構成要素１０の上部連結ブロック１１１ａを下部横枠材２１２の内空部に挿入し、かつ下部枠構成要素２０の下部連結ブロック２１１ａを上部横枠材１１２の中空部に挿入すると、上部枠構成要素１０と下部枠構成要素２０とを互いにほぼαの角度だけ傾斜した状態に配置することができる。
【００２６】
図２に示すように、本実施の形態では、それぞれの縦枠材１１１，２１１としてビルのフロア１階分とほぼ等しい高さ寸法を有したものを適用し、かつ横枠材１１２，２１２として縦枠材１１１，２１１のほぼ２／５の長さを有したものを適用している。上部傾斜骨材１１３及び下部傾斜骨材２１３が互いに対向した状態で横枠材１１２，２１２が水平となるように上部枠構成要素１０及び下部枠構成要素２０を配置した場合には、それぞれの縦枠材１１１，２１１及び横枠材１１２，２１２によって縦長の長方形が構成されることになる。
【００２７】
また、上部枠構成要素１０には上部無目枠材１１４が設けてあり、下部枠構成要素２０には下部無目枠材２１４が設けてある。それぞれの無目枠材１１４，２１４は、横枠材１１２，２１２と平行となるように延在するもので、縦枠材１１１，２１１と傾斜骨材１１３，２１３との間に掛け渡すように配設してある。上部枠構成要素１０に設けた上部無目枠材１１４は、上部横枠材１１２との距離が、上部縦枠材１１１のほぼ１／５の長さとなる位置に設けてある。下部枠構成要素２０に設けた下部無目枠材２１４は、下部横枠材２１２との距離が、下部縦枠材２１１のほぼ１／５の長さとなる位置に設けてある。つまり、上部傾斜骨材１１３及び下部傾斜骨材２１３を互いに対向配置した場合に、上部枠構成要素１０に設けた上部無目枠材１１４と、下部枠構成要素２０に設けた下部無目枠材２１４とが同一の直線上に配置されるように構成してある。上部無目枠材１１４及び下部無目枠材２１４は、上部縦枠材１１１等と同様、アルミニウム合金によって成形した押し出し形材であり、全長にわたってほぼ一様な断面形状を有するように構成してある。
【００２８】
図４〜図６に示すように、上部枠構成要素１０の枠１１及び下部枠構成要素２０の枠２１において、それぞれ無目枠材１１４，２１４よりも上方となる部位には面材１２，２２として単層ガラスが配設してあり、無目枠材１１４，２１４よりも下方となる部位には面材１２，２２として複層ガラスが配設してある。それぞれの面材１２，２２は、枠１１，２１の室外に臨む見付け面と押縁５０との間に挟持されたものである。面材１２，２２の外表面と押縁５０との間、並びに面材１２，２２の内表面と枠１１，２１との間には、それぞれ所望の水密性及び気密性を確保するためのシール材５１が設けてある。
【００２９】
図５及び図６に示すように、上部傾斜骨材１１３の外周側となる見込み面及び下部傾斜骨材２１３の外周側となる見込み面には、それぞれ外方連結ヒレ部１１３ａ，２１３ａ及び内方連結ヒレ部１１３ｂ，２１３ｂが設けてある。外方連結ヒレ部１１３ａ，２１３ａ及び内方連結ヒレ部１１３ｂ，２１３ｂは、それぞれ傾斜骨材１１３，２１３の長手方向に沿って延在する平板状部分であり、互いに平行となる状態で見込み方向に並設してある。図５及び図６からも明らかなように、本実施の形態では、上部傾斜骨材１１３の外周側となる見込み面及び下部傾斜骨材２１３の外周側となる見込み面がそれぞれ平面状となっており、外方連結ヒレ部１１３ａ，２１３ａ及び内方連結ヒレ部１１３ｂ，２１３ｂが個々の見込み面から直交する方向に沿って突設してある。
【００３０】
パネルユニット１の外方連結パネル３０は、それぞれの傾斜骨材１１３，２１３に設けた外方連結ヒレ部１１３ａ，２１３ａを互いに連結するためのものであり、内方連結パネル４０は、それぞれの傾斜骨材１１３，２１３に設けた内方連結ヒレ部１１３ｂ，２１３ｂを互いに連結するためのものである。それぞれの連結パネル３０，４０は、図１の（ｂ）に示すように、傾斜骨材１１３，２１３とほぼ同じ長さを有した基板部３０ａ，４０ａと、基板部３０ａ，４０ａの両側に設けた接合ヒレ部３０ｂ，４０ｂとを一体に成形したものである。図３、図５及び図６に示すように、外方連結パネル３０の接合ヒレ部３０ｂは、傾斜骨材１１３，２１３の外方連結ヒレ部１１３ａ，２１３ａに対して室外に臨む見付け面に当接する部分である。内方連結パネル４０の接合ヒレ部４０ｂは、傾斜骨材１１３，２１３の内方連結ヒレ部１１３ｂ，２１３ｂに対して室内に臨む見付け面に当接する部分である。
【００３１】
外方連結パネル３０に設けた一対の接合ヒレ部３０ｂは、それぞれ外方連結ヒレ部１１３ａ，２１３ａとの当接面が互いに傾斜するように構成してある。同様に、内方連結パネル４０に設けた一対の接合ヒレ部４０ｂは、それぞれ内方連結ヒレ部１１３ｂ，２１３ｂとの当接面が互いに傾斜するように構成してある。より具体的に説明すると、接合ヒレ部３０ｂの当接面は、基板部３０ａの長手方向に沿った中心線を含み、かつ基板部３０ａに直交する仮想平面Ｐ１上において相互に交差するように傾斜して設けてある。同様に、接合ヒレ部４０ｂの当接面は、基板部４０ａの長手方向に沿った中心線を含み、かつ基板部４０ａに直交する仮想平面Ｐ２上において相互に交差するように傾斜して設けてある。本実施の形態では、特に、接合ヒレ部３０ｂ，４０ｂの当接面が基板部３０ａ，４０ａよりも室外側において相互に交差するように外方連結パネル３０及び内方連結パネル４０が構成してある。外方連結パネル３０において接合ヒレ部３０ｂの当接面が互いに傾斜する傾斜角度αは、上述した枠１１，２１に対する連結ブロック１１１ａ，２１１ａの傾斜角度αと同一であり、かつ内方連結パネル４０において接合ヒレ部４０ｂの当接面が互いに傾斜する傾斜角度αとも同一である。
【００３２】
上記のように構成した外方連結パネル３０及び内方連結パネル４０は、接合ヒレ部３０ｂ，４０ｂを内方連結ヒレ部１１３ｂ，２１３ｂ及び外方連結ヒレ部１１３ａ，２１３ａに当接した状態で適宜箇所に連結ネジＳを螺合することにより、上部傾斜骨材１１３及び下部傾斜骨材２１３を介して上部枠構成要素１０と下部枠構成要素２０とを互いに連結した状態に維持する。外方連結パネル３０と外方連結ヒレ部１１３ａ，２１３ａとの接合部には、室外側からシール材５２を充填することで水密性及び気密性が確保してある。同様に、内方連結パネル４０と内方連結ヒレ部１１３ｂ，２１３ｂとの接合部には、室内側からシール材５３を充填することで水密性及び気密性が確保してある。このとき、図には明示していないが、下部横枠材２１２とその中空部に挿入された上部連結ブロック１１１ａとの間にネジを螺合するとともに、上部横枠材１１２とその中空部に挿入された下部連結ブロック２１１ａとの間にネジを螺合すれば、上部枠構成要素１０と下部枠構成要素２０との間をより強固に固定された状態となる。
【００３３】
このように連結パネル３０，４０によって傾斜骨材１１３，２１３の間を連結し、かつ連結ブロック１１１ａ，２１１ａによって横枠材１１２，２１２と縦枠材２１１，１１１との間を連結した２つの枠構成要素１０，２０は、上部横枠材１１２、上部縦枠材１１１、下部縦枠材２１１及び下部横枠材２１２によってほぼ矩形状の枠体を構成し、かつこの矩形状の枠体の左上から右下に向けて斜材が延在した一体のパネルユニット１となる。従って、図２に示すように、従前のパネルユニット１′と同様、ファスナーＦを介して上部縦枠材１１１及び下部縦枠材２１１をそれぞれ構造体Ｂに支持させれば、カーテンウォールを構成することができる。パネルユニット１とパネルユニット１′との間においては、図４〜図６に示すように、一次止水材５４及び二次止水材５５を互いに圧接させることで所望の水密性及び気密性を確保するようにしている。
【００３４】
パネルユニット１の上部横枠材１１２と上方に配置されたパネルユニット１′との間においては、上部横枠材１１２に設けた係合ヒレ部１１２ａを下枠材３に設けた係合溝３ａに係合させることによって下枠材３の室外側への移動を規制することができる。同様に、パネルユニット１の下部横枠材２１２と下方に配置されたパネルユニット１′との間においては、図には明示していないが、下部横枠材２１２に設けた係合凹部に上枠材２に設けた係合ヒレ部に係合させることによって下部横枠材２１２の室外側への移動を規制することができる。
【００３５】
ここで、互いに連結した上部枠構成要素１０及び下部枠構成要素２０は、連結ブロック１１１ａ，２１１ａの傾斜角度α及び連結パネル３０，４０に設けた一対の接合ヒレ部３０ｂ，４０ｂの傾斜角度α従って互いに傾斜した状態となる。すなわち、上述のパネルユニット１においては、ほぼ矩形状を成す枠１１，２１の左上から右下に向けて延在する斜材を境界として上部枠構成要素１０及び下部枠構成要素２０が互いに異なる平面上に位置することになる。従って、図２に示すように、この斜材が連続するように複数のパネルユニット１を構造体Ｂに支持させれば、斜材を境界として２つの平面が交わるようにカーテンウォールを構成することが可能となり、カーテンウォールを多面化することで、建築物の意匠性をより向上させることができる。
【００３６】
上述したように、上部枠構成要素１０及び下部枠構成要素２０を備えたパネルユニット１は、従前のパネルユニット１′と同様に外形がほぼ矩形状を成す一体のものであり、構造体Ｂへの支持構造も従前と同様のものを適用することができる。従って、カーテンウォールを構成する場合に取り扱い部品点数が増えることはなく、工期が長くなるおそれもない。また、パネルユニット１のいずれの隅部においても、その周囲には３枚のパネルユニット１，１′が配置されるのみであり、ファスナーＦを設ける位置や一次止水材５４、二次止水材５５を引き回す位置を確保することも容易となる。
【００３７】
さらに、室外側においては、図５及び図６に示すように、外方連結パネル３０の室外に臨む見付け面全長を覆うように外装カバー部材６０を外方連結パネル３０に取り付ければ、カーテンウォールを室外側から見た場合の外観品質を向上させることができる。特に、本実施の形態では、図２、図７、図８に示すように、外装カバー部材６０の端部を縦枠材１１１，２１１よりも側方に突出し、かつ端面を水平方向に沿うように突出部分６０ａを形成しているため、上方のパネルユニット１と下方のパネルユニット１との間において外装カバー部材６０が連続した印象を与えることができ、意匠性を考慮した場合、好ましいものとなる。
【００３８】
同様に、室内側においても、図６に示すように、無目枠材１１４，２１４よりも下方に位置する上部傾斜骨材１１３の見付け面から下部傾斜骨材２１３の見付け面までの間を内装カバー部材７０によって覆うようにすれば、室内側から見た場合に、傾斜骨材１１３，２１３や、内方連結パネル４０、シール材５３が外部に露出したり、視認されるおそれもなく、外観品質が損なわれる事態を未然に防止することができる。
【００３９】
尚、上述した実施の形態では、上部枠構成要素１０及び下部枠構成要素２０を互いに傾斜した状態で外方連結パネル３０及び内方連結パネル４０によって連結するようにしているが、必ずしもこれに限定されない。すなわち、図９の変形例に示すように、接合ヒレ部３０ｂ，４０ｂが同一の平面上に位置する外方連結パネル３０及び内方連結パネル４０によって上部枠構成要素１０と下部枠構成要素２０とを互いに連結することにより、平板状のパネルユニット１を構成するようにしても良いし、その他の傾斜角度で上部枠構成要素１０と下部枠構成要素２０とを連結するようにしても構わない。この場合、連結ブロック１１１ａ，２１１ａの突出方向についても接合ヒレ部３０ｂ，４０ｂに応じて適宜変更する必要があるのはいうまでもない。また、上部枠構成要素１０及び下部枠構成要素２０を傾斜させる場合に上述した実施の形態では外方に向けて凸となるようにパネルユニット１を構成しているが、室内側に向けて凸となるようにパネルユニット１を傾斜させるようにしても良い。尚、図９の変形例において実施の形態と同様の構成については、同一の符号が付してある。
【００４０】
また、上述した実施の形態では、上部枠構成要素１０及び下部枠構成要素２０がほぼ同じ大きさを有するように構成してあるが、必ずしも上部枠構成要素１０と下部枠構成要素２０とが同じ大きさである必要はない。さらに、上部枠構成要素１０及び下部枠構成要素２０が三角形状の外形を有している必要はなく、台形状の外形を有するように枠構成要素１０，２０を構成することも可能である。この場合、例えば上部枠構成要素１０が台形状の外形を有し、かつ下部枠構成要素２０が三角形状の外形を有する等、両者が同じ外形を有している必要もない。また、それぞれの枠構成要素１０，２０において縦枠材１１１，２１１と横枠材１１２，２１２とが直角に交わるように接合しているが、縦枠材１１１，２１１と横枠材１１２，２１２とが直角に交わる必要はない。さらに、矩形状を成す枠体の左上から右下に斜材が延在するようにパネルユニットを構成しているが、斜材の向きは右上から左下に延在するようにしてももちろん良い。尚、枠構成要素１０，２０の面材１２，２２として単層ガラス及び複層ガラスを適用したものを例示しているが、その他の面材を適用しても構わない。
【００４１】
さらに、上述した実施の形態では、連結部材として縦枠材１１１，２１１と横枠材２１２，１１２との間を連結する連結ブロック１１１ａ，２１１ａと、傾斜骨材１１３，２１３の相互間を連結する連結パネル３０，４０を適用しているが、いずれか一方の連結部材を用いれば十分である。また、連結パネル３０の室外に臨む見付け面を外装カバー部材６０によって覆い、かつ上部傾斜骨材１１３及び下部傾斜骨材２１３の室内に臨む見付け面を内装カバー部材７０によって覆うようにしているが、外装カバー部材６０及び内装カバー部材７０は設けなくても良い。
【符号の説明】
【００４２】
１  パネルユニット、１０  上部枠構成要素、１２，２２  面材、２０  下部枠構成要素、３０，４０  連結パネル、６０  外装カバー部材、７０  内装カバー部材、１１１  上部縦枠材、１１１ａ  上部連結ブロック、１１２  上部横枠材、１１３  上部傾斜骨材、２１１  下部縦枠材、２１１ａ  下部連結ブロック、２１２  下部横枠材、２１３  下部傾斜骨材
【図１】
0006431423.tif 000002
【図２】
0006431423.tif 000003
【図３】
0006431423.tif 000004
【図４】
0006431423.tif 000005
【図５】
0006431423.tif 000006
【図６】
0006431423.tif 000007
【図７】
0006431423.tif 000008
【図８】
0006431423.tif 000009
【図９】
0006431423.tif 000010